(57)【要約】      （修正有）【課題】ギアに欠け歯部を設けずに、突起の回転を止めることができる現像カートリッジを提供すること。【解決手段】現像カートリッジ１は、所定の方向に延びる第１軸Ａ１について回転可能な第１ギア６と、第１ギア６と噛み合う第２ギア７であって、所定の方向に延びる第２軸Ａ２について回転可能な第２ギア７と、所定の方向に延びる突起８であって、第２ギア７とともに回転可能な突起８とを備える。第１ギア６は、第２ギア７と噛み合う第１位置から、第２ギア７との噛み合いが解除される第２位置まで、第２ギア７から離れる方向へ移動可能である。【選択図】図２
2017173620.tif 000002
【特許請求の範囲】
【請求項１】
所定の方向に延びる第１軸について回転可能な第１ギアと、
前記第１ギアと噛み合う第２ギアであって、前記所定の方向に延びる第２軸について回転可能な第２ギアと、
前記所定の方向に延びる突起であって、前記第２ギアとともに回転可能な突起と
を備え、
前記第１ギアは、前記第２ギアと噛み合う第１位置から、前記第２ギアとの噛み合いが解除される第２位置まで、前記第２ギアから離れる方向へ移動可能であることを特徴とする現像カートリッジ。
【請求項２】
前記第１ギアは、前記所定の方向において、前記第１位置から前記第２位置まで移動可能であることを特徴とする請求項１に記載の現像カートリッジ。
【請求項３】
前記第１ギアは、前記所定の方向と交差する方向において、前記第１位置から前記第２位置まで移動可能であることを特徴とする請求項１に記載の現像カートリッジ。
【請求項４】
前記現像カートリッジは、前記第１ギアを前記第２位置に固定するストッパを、さらに備えることを特徴とする請求項１から請求項３のいずれか一項に記載の現像カートリッジ。
【請求項５】
前記現像カートリッジは、現像剤を収容可能なカートリッジであることを特徴とする請求項１から請求項４のいずれか一項に記載の現像カートリッジ。
【発明の詳細な説明】
【技術分野】
【０００１】
本開示は、現像カートリッジに関する。
【背景技術】
【０００２】
従来、現像ローラを備える現像カートリッジが知られている。現像カートリッジは、画像形成装置に対して着脱可能である。
【０００３】
例えば、特許文献１に開示されるように、現像カートリッジは、第１位置から第２位置まで回転可能なギアと、ギアに設けられる突起とを備える。突起は、ギアと共に回転し、画像形成装置のレバーと接触する。レバーは、突起との接触により移動する。画像形成装置は、レバーの移動を検知して現像カートリッジの仕様を判断する。また、ギアは、欠け歯部を有する。欠け歯部と、ギアに駆動力を伝える駆動ギアとが向かい合うことにより、ギアと駆動ギアとの噛み合いが外れる。これにより、ギアの回転が止まる。ギアの回転が止まると、突起の回転も止まる。
【先行技術文献】
【特許文献】
【０００４】
【特許文献１】特開２０１３−５４０５６号公報
【発明の概要】
【発明が解決しようとする課題】
【０００５】
上記した現像カートリッジにおいて、ギアに欠け歯部を設ける以外の構造で、突起の回転を止めることが望まれている。
【０００６】
そこで、本開示の目的は、突起とともに回転するギアに欠け歯部を設けずに、突起の回転を止めることができる現像カートリッジを提供することにある。
【課題を解決するための手段】
【０００７】
（１）本開示の現像カートリッジは、第１ギアと、第２ギアと、突起とを備える。第１ギアは、所定の方向に延びる第１軸について回転可能である。第２ギアは、第１ギアと噛み合う。第２ギアは、所定の方向に延びる第２軸について回転可能である。突起は、所定の方向に延びる。突起は、第２ギアとともに回転可能である。
【０００８】
第１ギアは、第２ギアと噛み合う第１位置から、第２ギアとの噛み合いが解除される第２位置まで、第２ギアから離れる方向へ移動可能である。
【０００９】
このような構成によれば、第１ギアを、第２ギアから離れる方向へ移動させることにより、第１ギアと第２ギアとの噛み合いを解除することができる。
【００１０】
これにより、突起とともに回転する第２ギアに欠け歯部を設けずに、第２ギアおよび突起の回転を止めることができる。
（２）第１ギアは、所定の方向において、第１位置から第２位置まで移動可能であってもよい。
（３）第１ギアは、所定の方向と交差する方向において、第１位置から第２位置まで移動可能であってもよい。
（４）現像カートリッジは、第１ギアを第２位置に固定するストッパを、さらに備えてもよい。
（５）現像カートリッジは、現像剤を収容可能なカートリッジであってもよい。
【発明の効果】
【００１１】
本発明の現像カートリッジは、突起とともに回転する第２ギアに欠け歯部を設けずに、突起の回転を止めることができる。
【図面の簡単な説明】
【００１２】
【図１】図１は、第１実施形態の現像カートリッジを示す斜視図である。
【図２】図２は、第１実施形態の現像カートリッジに設けられるギア列を分解した斜視図である。
【図３】図３は、第１実施形態において、第１ギアの移動を説明するための説明図であって、第１ギアが第１位置に位置した状態を示す。
【図４】図４は、図３とともに第１ギアの移動を説明するための説明図であって、第１ギアが第２位置に位置した状態を示す。
【図５】図５は、第１実施形態の変形例を説明する説明図であって、第１ギアが第１位置に位置した状態を示す。
【図６】図６は、図５とともに第１実施形態の変形例を説明する説明図であって、第１ギアが第２位置に位置した状態を示す。
【図７】図７は、第２実施形態の現像カートリッジに設けられるギア列を分解した斜視図である。
【図８】図８は、第２実施形態において、第１ギアの移動を説明する説明図であって、第１ギアが第１位置に位置した状態を示す。
【図９】図９は、図８に続いて、第１ギアの移動を説明する説明図であって、第１ギアが第１位置から回転した状態を示す。
【図１０】図１０は、図９に続いて、第１ギアの移動を説明する説明図であって、第１ギアが第２位置に位置した状態を示す。
【発明を実施するための形態】
【００１３】
［第１実施形態］
１．現像カートリッジ１の概略
図１を参照して、現像カートリッジ１の概略について説明する。
【００１４】
現像カートリッジ１は、現像剤を収容可能なカートリッジである。現像カートリッジ１は、筐体２と、現像ローラ３とを備える。現像ローラ３は、所定の方向に延びる回転軸について、回転可能である。
【００１５】
１．１  筐体２
筐体２は、所定の方向に延びる。筐体２は、現像剤を収容可能である。現像剤は、例えば、トナーである。なお、以下の説明において、筐体２の内側および外側に言及するときは、現像剤が収容される側が、筐体２の内側である。また、現像剤が収容される内側と反対側が、筐体２の外側である。
【００１６】
なお、筐体２の内側には、アジテータが設けられる。アジテータは、筐体２内の現像剤を撹拌するとともに、筐体２内の現像剤を現像ローラ３へ送るための構成である。アジテータ４は、所定の方向に延びる回転軸について回転可能なアジテータシャフト４（図２参照）と、アジテータシャフト４から延びる羽根とを備える。
【００１７】
１．２  現像ローラ３
現像ローラ３は、筐体２の一端部に位置する。現像ローラ３は、所定の方向に延びる。現像ローラ３の周面の一部は、筐体２の外側に露出している。
【００１８】
２．現像カートリッジ１の詳細
次いで、現像カートリッジ１の詳細について説明する。
【００１９】
現像カートリッジ１は、図１および図２に示すように、上記した筐体２および現像ローラ３に加え、カップリング５と、第１ギア６と、第２ギア７と、突起８と、ギアカバー９とを備える。
【００２０】
２．１  カップリング５
カップリング５は、所定の方向において、筐体２の一方側の外面に位置する。カップリング５は、所定の方向に延びる軸について回転可能である。カップリング５は、継手５Ａと、カップリングギア５Ｂとを備える。
【００２１】
継手５Ａは、現像カートリッジ１が画像形成装置に装着されたときに、画像形成装置から駆動力を受けるための構成である。継手５Ａは、所定の方向において、カップリング５の一方側の端部に位置する。継手５Ａは、所定の方向において、カップリングギア５Ｂに対して筐体２の反対側に位置する。継手５Ａは、画像形成装置の駆動入力部と係合可能である。継手５Ａが画像形成装置の駆動入力部と係合することにより、カップリング５は、画像形成装置の駆動入力部から駆動力を受けることが可能となる。
【００２２】
カップリングギア５Ｂは、所定の方向において、継手５Ａと筐体２との間に位置する。カップリングギア５Ｂは、継手５Ａとともに回転可能である。カップリングギア５Ｂは、複数のギア歯を有する。複数のギア歯は、カップリングギア５Ｂの周面に設けられる。
【００２３】
なお、現像カートリッジ１は、カップリングギア５Ｂと接続される図示しないギア列を備える。図示しないギア列は、所定の方向において、筐体２の一方側の外面に位置し、現像ローラ３およびアジテータシャフト４に駆動力を伝える。
【００２４】
２．２  第１ギア６
図２および図３に示すように、第１ギア６は、所定の方向において、筐体２の他方側の外面に位置する。第１ギア６は、所定の方向において、筐体２に対して、カップリング５（図１参照）と反対側に位置する。第１ギア６は、アジテータシャフト４に取り付けられる。アジテータシャフト４は、所定の方向において、一端部と、他端部とを備える。他端部は、所定の方向において、一端部よりもカップリング５から離れている。詳しくは、第１ギア６は、アジテータシャフト４の他端部に取り付けられる。
【００２５】
第１ギア６は、所定の方向において、一端部と、他端部とを有する。他端部は、所定の方向において、一端部に対して筐体２の反対側に位置する。第１ギア６は、第１穴６Ａと、第２穴６Ｂとを有する。第１穴６Ａは、所定の方向において、第１ギア６の一端部から第１ギア６の他端部へ向かって凹む。第２穴６Ｂは、所定の方向において、第１ギア６の他端部から第１ギア６の一端部へ向かって凹む。第１穴６Ａと第２穴６Ｂとは、連通してもよい。
【００２６】
第１穴６Ａには、アジテータシャフト４の他端部が挿入される。これにより、第１ギア６は、アジテータシャフト４の他端部に取り付けられる。アジテータシャフト４の他端部の周面は、Ｄ形状を有する。詳しくは、アジテータシャフト４の他端部の周面は、一部が平面Ｓ１（図２参照）であり、残りの部分が円弧面Ｓ２（図２参照）である。また、第１穴６Ａは、アジテータシャフト４の他端部の形状にフィットする形状を有する。これにより、アジテータシャフト４の他端部が第１穴６Ａに挿入された状態で、第１ギア６は、アジテータシャフト４とともに回転可能である。これにより、第１ギア６は、画像形成装置からの駆動力を受けて回転可能である。詳しくは、画像形成装置からカップリング５（図１参照）に入力された駆動力は、カップリングギア５Ｂと接続される図示しないギア列を介して、アジテータシャフト４に伝わり、さらに、アジテータシャフト４を介して、第１ギア６に伝わる。これにより、第１ギア６は、画像形成装置からの駆動力を受けて回転する。第１ギア６は、所定の方向に延びる第１軸Ａ１について回転可能である。また、第１ギア６は、アジテータシャフト４に対して、所定の方向に移動可能である。
【００２７】
第２穴６Ｂには、ギアカバー９に設けられるシャフト１２が挿入される。シャフト１２は、所定の方向において、アジテータシャフト４に対して、筐体２の反対側に位置する。シャフト１２は、所定の方向において、アジテータシャフト４から離れている。シャフト１２は、ギアカバー９と一体的に構成される。詳しくは、シャフト１２は、所定の方向において、ギアカバー９の内面からアジテータシャフト４に向かって延びる。シャフト１２は、ギアカバー９に連続する一端部と、一端部よりもアジテータシャフト４に近い他端部とを有する。シャフト１２は、突起１２Ａを備える。突起１２Ａは、シャフト１２の他端部に位置する。突起１２Ａは、シャフト１２の周面から突出する。突起１２Ａは、シャフト１２の径方向に延びる。第１ギア６は、さらに、溝６Ｃを有する。溝６Ｃは、第２穴６Ｂの内面に位置する。溝６Ｃは、所定の方向に延びる螺旋形状を有する。溝６Ｃは、所定の方向において、一端部と、他端部とを有する。他端部は、所定の方向において、一端部に対して筐体２の反対側に位置する。第１ギア６が第１位置に位置する場合に、溝６Ｃの一端部には、シャフト１２の突起１２Ａが嵌まる。螺旋形状の溝６Ｃに突起１２Ａが嵌まることにより、第１ギア６は、回転したときに、所定の方向に移動可能である。具体的には、第１ギア６は、回転したときに、筐体２に近づく方向へ移動可能である。これにより、第１ギア６は、所定の方向において、図３に示す第１位置から、図４に示す第２位置まで移動可能である。なお、第１ギア６の回転方向が、第１の実施形態の第１ギア６の回転方向の逆方向になると、溝６Ｃの螺旋方向も逆方向となる。これにより、第１ギア６は、回転したときに、筐体２に近づく方向へ移動可能である。
【００２８】
さらに、第１ギア６は、複数のギア歯６Ｄを有する。複数のギア歯６Ｄは、第１ギア６の周面に位置する。複数のギア歯６Ｄは、第１ギア６の回転方向に並ぶ。第１ギア６が第１位置に位置する場合、第１ギア６のギア歯６Ｄは、第２ギア７のギア歯７Ｂと噛み合う。第１ギア６が第２位置に位置する場合、第１ギア６のギア歯６Ｄは、第２ギア７のギア歯７Ｂから所定の方向に離れる。これにより、第１ギア６が第２位置に位置する場合、第１ギア６のギア歯６Ｄと第２ギア７のギア歯７Ｂとの噛み合いが解除される。
【００２９】
２．３  第２ギア７
図２および図３に示すように、第２ギア７は、所定の方向において、筐体２の他方側の外面に位置する。第２ギア７は、所定の方向において、筐体２に対して、カップリング５（図３参照）と反対側に位置する。第２ギア７は、貫通穴７Ａを有する。貫通穴７Ａは、所定の方向において、第２ギア７を貫通する。貫通穴７Ａには、筐体２の他方側の外面に設けられるシャフト１１が挿入される。第２ギア７は、シャフト１１に取り付けられる。第２ギア７は、第２ギア７の周囲に、複数のギア歯７Ｂを有する。複数のギア歯７Ｂは、第２ギア７の回転方向に並ぶ。第２ギア７は、第１ギア６と噛み合う。詳しくは、第２ギア７の複数のギア歯７Ｂは、第１ギア６の複数のギア歯６Ｄと噛み合う。これにより、第２ギア７は、第１ギア６から駆動力を受けて、シャフト１１について回転可能である。第２ギア７は、所定の方向に延びる第２軸Ａ２について回転可能である。
【００３０】
２．４  突起８
突起８は、所定の方向において、第２ギア７に対して、筐体２の反対側に位置する。突起８は、貫通穴７Ａの周囲に位置する。突起８は、所定の方向に延びる。突起８は、所定方向において、第２ギア７から延びる。すなわち、突起８は、第２ギア７と一体的に構成される。これにより、突起８は、第２ギア７とともに、シャフト１１について回転可能である。突起８は、具体的には、１つ設けられる。なお、突起８は、複数、設けられてもよい。
【００３１】
２．５  ギアカバー９
ギアカバー９は、図１に示すように、所定の方向において、筐体２に対して、カップリング５と反対側に位置する。ギアカバー９は、所定の方向において、筐体２の他方側の外面に取り付けられる。ギアカバー９は、第１ギア６および第２ギア７を覆う。ギアカバー９は、開口１３を有する。開口１３は、所定の方向と交差する方向において、ギアカバー９の壁を貫通する。突起８およびシャフト１１は、開口１３から露出する。これにより、突起８は、シャフト１１について回転したときに、開口１３を介して、一旦、ギアカバー９の外側に出た後、開口１３を介して、ギアカバー９の内側に入る。
【００３２】
３．現像カートリッジ１の動作
次いで、図３および図４を参照して、現像カートリッジ１の動作について説明する。
【００３３】
図３に示すように、現像カートリッジ１が画像形成装置に装着されたときには、第１ギア６は、第１位置に位置している。
【００３４】
次いで、画像形成装置の駆動入力部からカップリング５（図１参照）に駆動力が入力されると、駆動力は、カップリング５から図示しないギア列およびアジテータシャフト４を介して第１ギア６に伝わる。これにより、第１ギア６が回転する。第１ギア６が回転すると、第１ギア６から駆動力を受けて、第２ギア７が回転する。すると、突起８が、第２ギア７とともに回転し、シャフト１１の周面に沿って移動する。突起８は、開口１３（図１参照）を介して、ギアカバー９の外側に出た後、開口１３（図１参照）を介して、ギアカバー９の内側に入る。
【００３５】
ここで、第１ギア６は、溝６Ｃの一端部に突起１２Ａが嵌まっていることにより、回転するにつれて、所定の方向において、筐体２に近づく方向へ移動する。一方、第２ギア７は、所定の方向に移動しないで、回転する。つまり、第１ギア６は、所定の方向において、第２ギア７から離れる方向へ移動する。
【００３６】
これにより、突起８がギアカバー９の内側に入った後、所定の方向における第１ギア６の移動に伴って、第１ギア６と第２ギア７との噛み合いが解除される。第１ギア６と第２ギア７との噛み合いが解除されることにより、第２ギア７が停止する。第２ギア７が停止することにより、突起８も停止する。なお、第１ギア６と第２ギア７との噛み合いが解除されるタイミングは、所望の信号パターンに応じて、適宜、調整可能である。
【００３７】
そして、図４に示すように、シャフト１２の突起１２Ａが溝６Ｃの他端部に嵌まる位置まで、第１ギア６が移動すると、第１ギア６は、所定の方向への移動を停止する。このときの第１ギア６の位置が、第２位置である。なお、第２実施形態では、第１ギア６は、第２位置において、アジテータシャフト４とともに回転し続ける。
【００３８】
なお、画像形成装置は、現像カートリッジ１が画像形成装置に装着された後、所定の時間内に、突起８がギアカバー９の外側に出たことを検知した場合、例えば、現像カートリッジ１が新品であると判断する。
【００３９】
また、画像形成装置は、現像カートリッジ１が画像形成装置に装着された後、所定の時間、突起８がギアカバー９の外側に出たことを検知しなかった場合、現像カートリッジ１が旧品であると判断する。
【００４０】
４．作用効果
現像カートリッジ１によれば、図３および図４に示すように、第１ギア６を、所定の方向において、第２ギア７から離れる方向へ移動させることにより、第１ギア６と第２ギア７との噛み合いを解除することができる。
【００４１】
これにより、突起８とともに回転する第２ギア７に欠け歯部を設けずに、第２ギア７および突起８の回転を止めることができる。
【００４２】
また、第１ギア６が第２位置に位置したときには、第１ギア６は、所定方向において、第２ギア７から離れている。
【００４３】
そのため、第１ギア６が第２位置に位置しているときには、第１ギア６が回転しても、第１ギア６のギア歯６Ｄは、第２ギア７のギア歯７Ｂと噛み合うことができない。
【００４４】
その結果、突起とともに回転するギアに欠け歯部を設ける構成と比べて、第２ギア７の回転を確実に止めることができる。
【００４５】
５．変形例
図５および図６に示すように、第１ギア６は、回転したときに、筐体２から離れる方向へ移動して、第２ギア７との噛み合いを解除してもよい。詳しくは、溝６Ｃの螺旋形状を、上記した第３実施形態の溝６Ｃとは逆の螺旋形状にする。これにより、第１ギア６は、回転したときに、筐体２から離れる方向へ移動する。なお、第１ギア６の回転方向が、変形例の第１ギア６の回転方向の逆方向になると、溝６Ｃの螺旋方向も逆方向となる。これにより、第１ギア６は、回転したときに、筐体２から離れる方向へ移動可能である。なお、第１ギア６の回転方向が、変形例の第１ギア６の回転方向の逆方向になると、溝６Ｃの螺旋方向も逆方向となる。これにより、第１ギア６は、回転したときに、筐体２から離れる方向に移動可能である。
【００４６】
また、上記した第１実施形態において、突起８の数および形状は、突起８が回転したときに所望の信号パターンを形成するように、変更可能である。例えば、現像カートリッジ１は、第２ギア７の回転方向に互いに間隔を隔てて、複数の突起８を備えてもよい。また、第２ギア７の回転方向において、突起８の長さを変更することもできる。
【００４７】
突起８が回転することにより形成される信号パターンは、例えば、現像剤の収容量などの現像カートリッジ１の情報に対応させることができる。
［第２実施形態］
図７から図１０を参照して、第２実施形態の現像カートリッジ２０について説明する。なお、現像カートリッジ２０において、現像カートリッジ１と同じ部材には、同じ符号を付し、説明を省略する。
【００４８】
１．現像カートリッジ２０の構成
現像カートリッジ２０は、図７に示すように、第２ギア７と噛み合う第１ギア２１と、第１ギア２１とアジテータシャフト４とを接続する接続部材２２とを備える。第１ギア６は、所定の方向と交差する方向において、接続部材２２とともに回転可能な第１位置（図２１参照）から、接続部材２２との接続が解除される第２位置（図２３参照）まで移動可能である。第１ギア２１が第１位置に位置する場合、第１ギア２１は、第２ギア７と噛み合う。第１ギア２１が第２位置に位置する場合、第１ギア２１と第２ギア７との噛み合いが解除される。
【００４９】
詳しくは、図７に示すように、接続部材２２は、所定の方向において、第１ギア２１とアジテータシャフト４との間に位置する。接続部材２２は、所定の方向において、一端部と、他端部とを備える。他端部は、所定の方向において、一端部よりも筐体２から離れている。接続部材２２の一端部は、アジテータシャフト４の他端部に取り付けられる。接続部材２２は、アジテータシャフト４とともに回転可能である。接続部材２２の他端部は、溝２２Ａを有する。溝２２Ａは、接続部材２２の径方向に延びる。接続部材２２の径方向において、溝２２Ａの両方の端部は、それぞれ、開放されている。
【００５０】
第１ギア２１は、複数のギア歯２１Ａと、係合部２１Ｂと、溝２１Ｃとを備える。複数のギア歯２１Ａは、第１ギア２１の周面に位置する。複数のギア歯２１Ａは、第１ギア２１の回転方向に沿って並ぶ。係合部２１Ｂは、所定の方向において、複数のギア歯２１Ａよりも接続部材２２の近くに位置する。係合部２１Ｂは、所定の方向において、接続部材２２に向かって突出する。係合部２１Ｂは、第１ギア２１の径方向に延びる。係合部２１Ｂは、接続部材２２の溝２２Ａに嵌まる。これにより、第１ギア２１は、係合部２１Ｂが溝２２Ａに嵌まった状態で、接続部材２２とともに回転可能である。また、第１ギア２１は、溝２２Ａの両方の端部がそれぞれ開放されていることにより、接続部材２２に対して、溝２２Ａが延びる方向にスライド可能である。溝２１Ｃは、所定の方向において、複数のギア歯２１Ａに対して、係合部２１Ｂの反対側に位置する。溝２１Ｃは、第１ギア２１の径方向において、係合部２１Ｂが延びる方向に延びる。第１ギア２１の径方向において、溝２１Ｃの端部は、開放されている。図８に示すように、溝２１Ｃには、ギアカバー９に設けられるシャフト２４が挿入される。シャフト２４は、ギアカバー９と一体的に構成されている。詳しくは、シャフト２４は、ギアカバー９の内面から延びる。そして、第１ギア２１は、ばね２３により、第２ギア７から離れる方向へ押圧されている。第１ギア２１は、ばね２３が第１ギア２１を押圧する方向と、溝２１Ｃが延びる方向とが交差する場合（図８参照）には、溝２１Ｃにシャフト２４が嵌まっていることにより、ばね２３の押圧力に抗して、第１位置に位置する。また、第１ギア２１は、ばね２３が第１ギア２１を押圧する方向と、溝２１Ｃが延びる方向とが一致した場合（図９参照）には、ばね２３の押圧力により、第１位置から第２位置へ移動可能となる。
【００５１】
２．現像カートリッジ２０の動作
現像カートリッジ２０が画像形成装置に装着されたときには、第１ギア２１は、図８に示すように、第１位置に位置する。
【００５２】
そして、画像形成装置からカップリング５（図１参照）に駆動力が入力されると、駆動力は、カップリング５から図示しないギア列およびアジテータシャフト４を介して、接続部材２２（図７参照）に伝わる。これにより、第１ギア２１が、接続部材２２とともに回転する。すると、第１ギア２１から駆動力を受けて、第２ギア７が回転する。また、突起８（図７参照）が、第２ギア７とともに回転し、シャフト１１の周面に沿って移動する。
【００５３】
そして、図９に示すように、第１ギア２１が回転するにつれて、溝２１Ｃが回転し、溝２１Ｃが延びる方向と、ばね２３が第１ギア２１を押圧する方向とが一致すると、図１０に示すように、ばね２３の押圧力により、第１ギア２１が、第１位置から第２位置まで、第２ギア７から離れる方向へ移動する。
【００５４】
すると、第１ギア２１が第２ギア７から離間し、第１ギア２１と第２ギア７との噛み合いが解除される。第１ギア２１と第２ギア７との噛み合いが解除されることにより、第２ギア７が停止する。第２ギア７が停止することにより、突起８も停止する。
【００５５】
なお、第１ギア２１が第２位置に位置した後、第１ギア２１は、ばね２３の押圧力により、第１位置への移動を止められる。すなわち、ばね２３は、第１ギア２１を第２位置に位置させた後、第１ギア２１を第２位置に固定するストッパとして機能する。
【００５６】
第２実施形態においても、第１実施形態と同様の効果を得ることができる。
【符号の説明】
【００５７】
１      現像カートリッジ
６      第１ギア
７      第２ギア
８      突起
２０    現像カートリッジ
２１    第１ギア
２３    ばね
Ａ１    第１軸
Ａ２    第２軸
【図１】
2017173620.tif 000003
【図２】
2017173620.tif 000004
【図３】
2017173620.tif 000005
【図４】
2017173620.tif 000006
【図５】
2017173620.tif 000007
【図６】
2017173620.tif 000008
【図７】
2017173620.tif 000009
【図８】
2017173620.tif 000010
【図９】
2017173620.tif 000011
【図１０】
2017173620.tif 000012